(57)【特許請求の範囲】
【請求項１】
浴室の空気を吸い込むと共に、その吸い込み空気を前記浴室に循環通風する循環用通風手段と、
前記浴室の空気を前記浴室の外に排気する排気用通風手段と、
前記循環用通風手段により前記浴室に通風される通風空気を加熱する加熱手段と、
前記浴室の温度を検出する温度検出手段と、
前記循環用通風手段及び前記排気用通風手段の通風作動を制御すると共に、前記温度検出手段の検出情報に基づいて、前記浴室の温度が設定範囲になるように前記加熱手段の加熱作動を制御する乾燥運転を実行する制御手段とが設けられている浴室乾燥機であって、
前記制御手段は、前記乾燥運転を実行しているときに、前記温度検出手段の検出値が前記設定範囲の下限温度以下に設定された設定温度より低いときは前記排気用通風手段の通風量を大に、前記温度検出手段の検出値が前記設定温度以上のときは前記排気用通風手段の通風量を小に制御するように構成されている浴室乾燥機。
【請求項２】
前記制御手段は、前記温度検出手段の検出情報に基づいて、前記循環用通風手段の通風量を変更調整するように構成されている請求項１記載の浴室乾燥機。
【請求項３】
前記制御手段は、前記温度検出手段の検出情報に基づいて、前記乾燥運転の実行に伴って、設定単位時間が経過する間における前記浴室の温度の上昇量が小であれば前記設定温度を高い温度に設定し、前記温度の上昇量が大であれば前記設定温度を低い温度に設定するように構成されている請求項１又は２記載の浴室乾燥機。
【請求項４】
前記制御手段は、前記乾燥運転を開始してから、被乾燥状況に応じて運転時間設定手段によって設定された設定時間が経過すると、乾燥運転を自動停止させるように構成され、
且つ、前記設定時間が長いときは前記設定温度を高い温度に設定し、前記設定時間が短いときは前記設定温度を低い温度に設定するように構成されている請求項１又は２記載の浴室乾燥機。
【発明の詳細な説明】
【０００１】
【発明の属する技術分野】
本発明は、浴室の空気を吸い込むと共に、その吸い込み空気を前記浴室に循環通風する循環用通風手段と、前記浴室の空気を前記浴室の外に排気する排気用通風手段と、前記循環用通風手段により前記浴室に通風される通風空気を加熱する加熱手段と、前記浴室の温度を検出する温度検出手段と、前記循環用通風手段及び前記排気用通風手段の通風作動を制御すると共に、前記温度検出手段の検出情報に基づいて、前記浴室の温度が設定範囲になるように前記加熱手段の加熱作動を制御する乾燥運転を実行する制御手段とが設けられている浴室乾燥機に関する。
【０００２】
【従来の技術】
上記構成の浴室乾燥機は、加熱手段にて加熱された空気を浴室に通風させて、例えば、浴室に吊るした衣類等の被乾燥物からの水分の蒸発を促進させると共に、多湿空気を浴室の外に通風するようにして、被乾燥物を能率よく乾燥させることができるようにしたものである。
【０００３】
ところで、上記浴室乾燥機において、従来では、例えば特開平７−２４１９４号公報に示されるように、浴室の湿度を検出する湿度検出手段が設けられ、この湿度検出手段の検出湿度が設定湿度より高いときは、排気用通風手段の通風量を大に制御し、検出湿度が設定湿度以下のときは、排気用通風手段の通風量を小に制御する構成として、乾燥過程が進むほど浴室の湿度は低くなるので、乾燥過程が後期に達したことを浴室の湿度により推定するようにして、乾燥過程が後期に達していないときは通風量を大にして乾燥を効率的に促進させて、乾燥後期では通風量を小に制御することで、乾燥作業の所要時間が長くなることを回避しながら、排気用通風手段の消費電力を低減してランニングコストを低減できるようにしたものがあった。
【０００４】
【発明が解決しようとする課題】
上記従来構成においては、浴室の湿度を直接検出することで、乾燥過程が後期に達したことを比較的精度よく推定することができるものの、湿度検出手段を別途備えさせる必要があり、部品点数が多くなると共に、接続配線等も多くなって構成が複雑でコスト高になる不利があった。しかも、浴室の湿度を精度よく検出することが可能となる湿度検出手段はその構成が複雑で部品コストが高く、更に、浴室乾燥機全体のコストアップを招くという不利があった。
【０００５】
ところで、浴室の温度が過度に上昇した状態が長く続くと、浴室内の各部、例えばシール部材や壁材等が乾燥してひび割れ等が発生する不都合があることから、無闇に温度上昇させることは好ましくないので、上記構成の浴室乾燥機においては、温度検出手段の検出値が設定領域に維持されるように加熱手段の作動が制御されることになるが、上記乾燥運転の開始直後においては、浴室の温度は低い状態となっており、乾燥運転が実行されるに伴って、加熱手段の加熱作動に伴って浴室の温度が徐々に上昇していくことになる。
【０００６】
本発明の目的は、浴室の温度が乾燥運転の実行に伴って上昇する点に着目して、乾燥時間の所要時間が長くなることを回避できると共に、ランニングコストを低減できるものでありながら、構成の簡素化により装置の低コスト化が可能となる浴室乾燥機を提供する点にある。
【０００７】
【課題を解決するための手段】
請求項１に記載の特徴構成によれば、前記制御手段は、その乾燥運転において、前記循環用通風手段及び前記排気用通風手段の通風作動を制御すると共に、前記温度検出手段の検出情報に基づいて、前記浴室の温度が設定範囲になるように前記加熱手段の加熱作動を制御するのである。そして、前記制御手段は、前記乾燥運転を実行しているときに、前記温度検出手段の検出情報に基づいて、前記排気用通風手段の通風量を変更調整することになる。
【０００８】
つまり、乾燥運転が開始された直後では、浴室の温度は低い状態となっており、乾燥運転が実行されるに伴って、加熱手段による加熱作動によって浴室の温度が上昇していくことになる。そして、乾燥運転が実行されるに伴って、被乾燥物からの水分の蒸発量も変化していくことになるので、このように乾燥運転の実行に伴う温度上昇を温度検出手段にて検出して、その検出情報に基づいて、蒸発量等の乾燥状況に適した通風量になるように排気用通風手段の通風量を変更調整するのである。
【０００９】
その結果、乾燥時間を長くさせる等の不利の無い状態で、排気用通風手段の消費電力を抑制することが可能であると共に、浴室の温度調整の為に従来より既存の温度検出手段の検出情報を有効利用して、湿度検出手段等の乾燥状況を検出する為の特別な検出手段を設ける必要が無く、構成を簡素化できて、浴室乾燥機のコスト低減を図ることが可能となった。
【００１０】
さらに、請求項１に記載の特徴構成によれば、前記制御手段は、前記温度検出手段の検出値が設定温度より低いときは前記排気用通風手段の通風量を大に、前記温度検出手段の検出値が前記設定温度以上のときは前記排気用通風手段の通風量を小に制御するように構成されている。
【００１１】
つまり、乾燥運転が開始された直後では、浴室の温度は設定温度よりも低い状態となっており、しかも、被乾燥物に多量の水分が含まれているので、例えば、排気用通風手段の通風量を大にさせることで多量に発生した水蒸気を浴室の外に排出することにより乾燥を効率よく促進することができ、乾燥時間を極力、短いものにできる。
又、乾燥運転が実行されるに伴って、加熱手段による加熱作動によって浴室の温度が上昇していくことになるが、浴室の温度が設定温度以上に上昇した乾燥過程の後期に到ると、被乾燥物からの水分の蒸発は少なくなっているので、浴室の空気を多量に外に排気しても乾燥を促進する効果はあまり無いので、このようなときは、排気用通風手段の通風量を小にすることで、無駄な電力消費を抑制できることになる。
【００１２】
請求項２に記載の特徴構成によれば、前記制御手段は、前記温度検出手段の検出情報に基づいて、前記循環用通風手段の通風量を変更調整するように構成されている。
【００１３】
つまり、上述したように、乾燥運転の実行に伴う温度上昇を温度検出手段にて検出して、その検出情報に基づいて、被乾燥物の乾燥状況に適した通風量になるように循環用通風手段の通風量を変更調整するのである。
例えば、被乾燥物に多量の水分が含まれている乾燥過程の初期では、循環用通風手段の通風量を多くして多量の温風を当てることで水分の蒸発を促進させることで、乾燥時間が長くなることを回避できて、被乾燥物の表面が乾燥し内部が乾燥していない乾燥過程の途中では、水分の蒸発量が少なく多量の温風を当てても乾燥を促進する効果は少ないので、通風量を小にさせることで、循環用通風手段の消費電力を抑制できることになる。
【００１４】
請求項３に記載の特徴構成によれば、前記制御手段は、前記温度検出手段の検出情報に基づいて、乾燥運転の実行に伴って、設定単位時間が経過する間における前記浴室の温度の上昇量が小であれば前記設定温度を高い温度に設定し、前記温度の上昇量が大であれば前記設定温度を低い温度に設定するように構成されている。
【００１５】
例えば、被乾燥物の処理量（乾燥負荷）が多い場合であれば、乾燥処理の為の所要時間は長くなると共に、設定単位時間が経過する間における前記浴室の温度の上昇量、即ち、加熱手段による加熱作動に伴う温度上昇率は小さくなると考えられる。そこで、このように温度上昇率が小さいときは設定温度を高い温度に設定することで、排気用通風手段の通風量が大に設定される乾燥運転が充分長い時間行われることになり、多量に蒸発する水分を有効に排気できるものとなる。
【００１６】
又、被乾燥物の処理量が少ない場合であれば、乾燥処理の為の所要時間は短くて済むと共に、前記温度上昇率は大きくなると考えられる。そこで、このように温度上昇率が大きいときは、設定温度を低い温度に設定することで、排気用通風手段の通風量が大である時間を短くさせて無駄な電力消費を極力少ないものにできる。
【００１７】
このように、乾燥負荷の状況に応じて適切な運転状態に自動的に切り換わるものとなり、更に、乾燥効率の向上と電力消費の抑制を図れると共に、使用上の利便性が向上するものとなる。
【００１８】
請求項４に記載の特徴構成によれば、前記制御手段は、前記乾燥運転を開始してから、被乾燥状況に応じて運転時間設定手段によって設定された設定時間が経過すると、乾燥運転を自動停止させるように構成され、且つ、前記設定時間が長いときは前記設定温度を高い温度に設定し、前記設定時間が短いときは前記設定温度を低い温度に設定するように構成されている。
【００１９】
従って、乾燥運転を実行する際に、予め、被乾燥状況、例えば被乾燥物の処理量等の乾燥負荷に応じて運転時間設定手段にて乾燥運転を実行すべき適切な設定時間を設定することができ、無駄な電力を消費する不利の無い状態で適切に乾燥を行うことができる。
その結果、設定時間が長いときは、乾燥負荷が大きいときであると推定できる。そこで、この場合は設定温度を高い温度に設定することで、排気用通風手段の通風量が大に設定される乾燥運転が充分長い時間行われることになり、多量に蒸発する水分を有効に排気できるものとなる。
又、設定時間が短いときは、乾燥負荷が小さいときであると推定できるので、この場合には、設定温度を低い温度に設定することで、排気用通風手段の通風量が大である時間を短くさせて無駄な電力消費を極力少ないものにできる。
【００２０】
このように、乾燥負荷等の被乾燥状況に応じて適切な運転状態に自動的に切り換わるものとなり、更に、乾燥効率の向上と電力消費の抑制を図れると共に、使用上の利便性が向上するものとなる。
【００２１】
【発明の実施の形態】
以下、本発明に係る浴室乾燥機について図面に基づいて説明する。
前記浴室乾燥機ＹＫは、図３に示すように、浴室Ａの天井部に設置され、図示しない建物の固定部（スラブ面）に埋め込み固定された吊り下げボルトＢO にて吊り下げ支持されると共に、浴室天井面に形成された開口を通して浴室Ａに臨む状態で設置されている。
そして、図１に示すように、下方側が開放されたケーシング１の内部に、区画形成される状態で浴室Ａの空気が循環通風される循環通風路Ｌ１が形成されると共に、ケーシング１の下方開放部を覆うグリル板２に吸気部３と吹き出し部４とが夫々形成されている。前記循環通風路Ｌ１の内部に、浴室Ａの空気を吸気部３から当該通風路内に吸い込むと共に、その吸い込み空気を循環通風路Ｌ１を通して循環させて吹き出し部４から浴室Ａに通風する循環用通風手段としての循環ファン５、この循環ファン５により循環通風される空気を加熱する加熱手段としての温水循環式の熱交換器６、熱交換器６にて加熱される前の循環空気の温度、即ち、浴室Ａの温度を検出する温度検出手段としてのサーミスタ７の夫々が設けられている。又、循環ファン５により循環通風される空気のうちの一部を排気用開口８を通して吸気すると共に、排気ダクト９を通して外部に排気する排気用通風手段としての排気ファン１０が設けられている。
【００２２】
前記熱交換器６は、温水供給路１１を通して外部熱源機ＮＴから熱媒としての所定温度（８０°Ｃ）の温水が循環供給されるように構成され、温水供給路１１には温水の供給を断続する熱動弁１２が設けられている。この熱動弁１２は、温水の断続操作の際に温水流量を徐々に変化させることで、急激な流量変化に起因して騒音や振動が発生することを未然に防止するように構成されている。
【００２３】
循環ファン５及び排気ファン１０の通風作動を制御すると共に、サーミスタ７の検出情報に基づいて、浴室Ａの温度が設定範囲になるように熱交換器６による加熱作動、具体的には熱動弁１２の断続状態を制御する乾燥運転を実行する制御手段としての制御部Ｈと、この制御部Ｈに運転情報を指令するリモコン操作部Ｒとが設けられている。前記制御部Ｈは、マイクロコンピュータを利用して構成され、ケーシング１の内部に設置されている。
【００２４】
前記リモコン操作部Ｒは、使用者が便利に操作できるように浴室Ａの入口部の壁面等に設置され、通信線１３を介して制御部Ｈと通信可能に接続されている。このリモコン操作部Ｒには、図２に示すように、制御部Ｈに乾燥モードを指令する乾燥スイッチ１４、涼風モードを指令する涼風スイッチ１５、暖房モードを指令する暖房スイッチ１６、換気モードを指令する換気スイッチ１７、前記各モードの運転停止を指令する停止スイッチ１８、いずれかのモードでの運転が開始されてから自動的に運転を停止させるまでのタイマー時間（設定時間の一例）を設定する運転時間設定手段としての時間設定スイッチ１９及びタイマー時間を表示するタイマー表示部２０等を備えて構成されている。
【００２５】
前記循環ファン５及び排気ファン１０は、夫々、通風量を大小２段階に切り換え自在に構成されている。具体的に説明すると、各ファンは図示しない電動モータにて駆動される構成となっており、制御部Ｈが各電動モータに対する印加電圧を切り換えることでファン回転数（通風量）を大小２段階に切り換えられるようになっている。
【００２６】
次に制御部Ｈの制御動作について説明する。
涼風スイッチ１５が操作されると、制御部Ｈは涼風モードに設定され、循環ファン５及び排気ファン１０を通風量大に切り換えた状態で通風作動させる。涼風モードは、例えば、夏場等の入浴時に送風させることで涼風感覚を得られるようになっている。尚、涼風スイッチ１５が操作されたときに、時間設定スイッチ１９にてタイマー時間が設定されるようになっており、運転を開始してからこのタイマー時間が経過すると、循環ファン５の通風作動を自動停止させて涼風運転を終了する。尚、タイマー時間が経過する前に停止スイッチ１８が操作されると、タイマー時間にかかわらず涼風運転を終了する。
【００２７】
換気スイッチ１７が操作されると、制御部Ｈは換気モードに設定され、排気ファン１０の通風量を大に切り換えた状態で作動させて、浴室Ａの空気を外部に排出させる。そのとき再度、換気スイッチ１７が操作されると、排気ファン１０の通風量を小に切り換えるように構成されている。つまり、換気用通風量は大小２段階のうちのいずれかに選択できるようになっている。
この換気モードにおいても同様に、時間設定スイッチ１９にてタイマー時間が設定されるようになっており、運転を開始してからこのタイマー時間が経過すると、排気ファン１０の通風作動を自動停止させて換気運転を終了する。尚、タイマー時間が経過する前に停止スイッチ１８が操作されると、タイマー時間にかかわらず換気運転を終了する。
【００２８】
暖房スイッチ１６が操作されると、制御部Ｈは暖房モードに設定され、熱動弁１２を開弁して熱交換器６に温水を循環供給させると共に、通風量が大に切り換えられた状態で循環ファン５を作動させる。従って、浴室Ａ内の空気が熱交換器６にて加熱されて温度が上昇し、浴室Ａ内が暖房されることになる。
制御部Ｈは、この暖房運転を実行しているとき、浴室Ａの温度が設定領域内に維持されるように熱動弁１２を開閉制御するように構成されている。つまり、暖房運転が開始された後に、サーミスタ７により検出される浴室Ａの温度が乾燥上限温度ｔmax （５０°Ｃ）以上になると熱動弁１２を閉弁させ、その後、サーミスタ７により検出される浴室Ａの温度が乾燥下限温度ｔmin （４０°Ｃ）以下にまで低下すると熱動弁１２を開弁させる動作を繰り返して、浴室Ａの温度が設定領域内に維持されるように制御するのである。
【００２９】
次に乾燥運転について説明する。尚、この乾燥運転は、浴室Ａの内部に吊り下げされた例えば洗濯物等の被乾燥物を乾燥させる場合等に利用されるものである。
前記乾燥スイッチ１４が操作されると、制御部Ｈは乾燥運転を開始する。つまり、循環ファン５を作動させると共に、排気ファン１０を作動させ、且つ、熱動弁１２を開弁させる。そうすると、浴室Ａ内の温度が上昇して洗濯物に含まれる水分が蒸発し、水分を多く含む空気は排気ファン１０によって外部に排出されることで、洗濯物の乾燥が促進されることになる。
尚、この乾燥運転においても、上記各モードと同様に、時間設定スイッチ１９にてタイマー時間ｔTMが設定されるようになっており、運転を開始してからこのタイマー時間ｔTMが経過すると、自動的に乾燥運転を終了するようになっている。尚、タイマー時間ｔTMが経過する前に停止スイッチ１８が操作されると、タイマー時間ｔTMにかかわらず乾燥運転を終了する。
この乾燥運転におけるタイマー時間ｔTMは、洗濯物の処理量等の乾燥負荷に応じた適切な時間に設定されることになる。
【００３０】
前記制御部Ｈは、乾燥運転を実行しているときに、サーミスタ７の検出情報に基づいて、排気ファン１０の通風量並びに循環ファン５の通風量を変更調整するように構成されている。具体的に説明すると、制御部Ｈは、サーミスタ７の検出値が設定温度としての後期判別温度ＴKOより低いときは前記排気ファン１０の通風量を大に、サーミスタ７の検出値が前記後期判別温度ＴKO以上のときは排気ファン１０の通風量を小に制御するように構成されている。又、サーミスタ７の検出情報に基づいて、設定単位時間が経過する間における浴室Ａの温度の上昇量が小であれば前記後期判別温度ＴKOを高い温度に設定し、温度の上昇量が大であれば前記後期判別温度ＴKOを低い温度に設定するように構成されている。
【００３１】
乾燥過程の初期段階では、洗濯物に多くの水分が含まれているので、循環ファン５の通風量を大にして多量の温風を洗濯物に当てると共に、排気ファン１０の通風量を大にして蒸発した水分を外部に排出させることにより、乾燥を効果的に促進することができると考えられる。
又、乾燥過程の中期では、洗濯物の表面が乾燥して内部があまり乾燥していない状態であると考えられ、温風は洗濯物の表面を通過するが内部を通過せず、このとき、循環ファン５の通風量を大にしても、乾燥を促進する効果はあまり無いと考えられる。乾燥過程の後期では、洗濯物からの水分の蒸発量も少なく、排気ファン１０の通風量を大にしても、乾燥を促進する効果はあまり無いと考えられる。
【００３２】
そして、乾燥運転が開始された後の乾燥過程の初期段階では、浴室Ａの温度は前記後期判別温度ＴKOよりも低い状態となっており、乾燥運転が実行されるに伴って乾燥過程の後期段階では浴室Ａの温度は後期判別温度ＴKOよりも上昇することになる。
そこで、前記サーミスタ７の検出情報に基づいて、乾燥運転の進行状況を判別して、乾燥過程の初期段階では、循環ファン５の通風量や排気ファン１０の通風量を大にして、乾燥を効果的に促進させ、乾燥過程の後期では、これらの通風量を小に切り換えて無駄な電力消費を抑制するようにしている。
【００３３】
又、洗濯物の処理量が多く乾燥負荷が大きい場合には、熱負荷も大きく、熱交換器６により加熱されて循環通風される温風による浴室Ａの温度上昇は、緩やかな勾配になると考えられ、被乾燥物の処理量が少なく乾燥負荷が小さい場合には、熱負荷は小さく、温風による浴室Ａの温度上昇は急勾配になると考えられる。そこで、乾燥運転が開始された後における、サーミスタ７の検出情報に基づいて、上述したような乾燥負荷の大小を判別するようにして、前記後期判別温度ＴKOを適切な状態に変更設定して、乾燥処理状況に応じた運転状態に切り換えて、乾燥を能率よく行うと共に、電力消費を抑制できるようにしているのである。
【００３４】
図４には乾燥負荷が大である場合の乾燥運転のタイミングチャートを示し、図５には乾燥負荷が小である場合の乾燥運転のタイミングチャートを示している。図４、図５に基づいて制御動作について具体的に説明する。
前記乾燥スイッチ１４が操作されて制御部Ｈに乾燥運転の開始が指令されると、熱動弁１２を開弁し、循環ファン５及び排気ファン１０を夫々通風量が大となる状態で通風作動させて、熱交換器６により加熱された温風によって浴室Ａ内の温度が上昇していく。そこで、制御部Ｈは、乾燥運転が開始された後におけるサーミスタ７の検出値の単位設定時間が経過する間における温度上昇量が設定量よりも小さければ、温度上昇が緩やかであると判別し、温度上昇量が設定量よりも大きければ、温度上昇が急であると判別する。そして、温度上昇が緩やかであると判別すると上記後期判別温度ＴKOを高い温度（例えば４０°Ｃ）に設定し、温度上昇が急であると判別すると上記後期判別温度ＴKOを低い温度（例えば３５°Ｃ）に設定する。
【００３５】
乾燥負荷が大である場合には、図４に示すように、乾燥運転を開始してからサーミスタ７の検出温度が前記後期判別温度ＴKOよりも低い温度に設定された中期判別温度ＴTU以上になると、循環ファン５の通風量を大から小に切り換える。
尚、検出温度が中期判別温度ＴTU以上になった場合であっても、運転時間ｔX が最小通風時間ｔ1 よりも短い時間であれば、最小通風時間ｔ1 が経過した後に循環ファン５を通風量小に切り換えるようにしている。又、運転時間ｔX が最大通風時間ｔ2 を越えても検出温度が中期判別温度ＴTU以上にならなかった場合には、運転時間ｔX が最大通風時間ｔ2 に達した時点で循環ファン５を通風量小に切り換えるようにしている。このようにして運転開始前に既に浴室Ａの温度が上昇しているような場合であっても、温度状況にかかわらず循環ファン５が大である所要動作時間を確保すると共に、例えば、浴室Ａの窓が誤って開放されている状態で、通風量大の動作状態が不必要に長く継続する等の不利を回避するようにしている。
【００３６】
その後、更にサーミスタ７の検出温度が上昇して後期判別温度ＴKO（４０°Ｃ）以上になると、排気ファン１０の通風量を大から小に切り換えて、排気通風量を少なくさせる。運転時間ｔX がタイマー時間ｔTMに達すると、熱動弁１２を閉弁させると共に、循環ファン５及び排気ファン１０の作動を停止させて乾燥運転を終了する。
【００３７】
乾燥負荷が小である場合には、図５に示すように、浴室Ａの温度の上昇が急になるので、乾燥運転を開始してからサーミスタ７の検出温度が中期判別温度ＴTU以上になる前に、運転時間ｔX が最小通風時間ｔ1 を経過すると、循環ファン５の通風量を大から小に切り換える。
尚、運転時間ｔX が最小通風時間ｔ1 を越えたときに、サーミスタ７の検出温度が中期判別温度ＴTU未満であれば、循環ファン５の通風量の切り換えは行わずに、検出温度ＴX が中期判別温度ＴTU以上になった時点で、循環ファン５の通風量を大から小に切り換えるように制御する。又、サーミスタ７の検出温度ＴX が中期判別温度ＴTU未満であっても、運転時間ｔX が最大通風時間ｔ2 を越えると、検出温度ＴX にかかわらず循環ファン５の通風量を大から小に切り換えることになる。
【００３８】
その後、サーミスタ７の検出温度ＴX が後期判別温度ＴKO（３５°Ｃ）以上になると、排気ファン１０の通風量を大から小に切り換えて、排気通風量を少なくさせる。このように乾燥負荷が小である場合に、サーミスタ７の検出温度ＴX が乾燥上限温度ｔmax 以上になると、熱動弁１２を閉弁させると共に、その後、検出温度ＴX が乾燥下限温度ｔmin まで低下すると熱動弁１２を開弁させて、浴室Ａの温度を乾燥用の設定領域に維持させる制御が実行されることになる。
そして、運転時間ｔX がタイマー時間ｔTMに達すると、熱動弁１２を閉弁させると共に、循環ファン５及び排気ファン１０の作動を停止させて乾燥運転を終了する。
【００３９】
〔別実施形態〕
（１）上記実施形態では、前記サーミスタの検出温度により検出される浴室の温度における、単位設定時間が経過する間における温度上昇量が設定量を越えているか、越えていないかにより、後期判別温度ＴKOを高い温度（４０°Ｃ）に設定する状態と、低い温度（３５°Ｃ）に設定する状態とに切り換える構成としたが、このような構成に代えて、前記温度上昇量が大きいほど高い温度に、小さいほど低い温度になるように、無段階に後期判別温度ＴKOを変更設定させる構成としてもよい。
【００４０】
（２）上記実施形態では、浴室の温度上昇量に基づいて、後期判別温度ＴKOを変更設定する構成としたが、このような構成に代えて、次のように構成してもよい。
つまり、前記乾燥運転における前記タイマー時間ｔTMは、洗濯物の処理量等の乾燥負荷に応じた適切な時間に設定されるものであることから、このタイマー時間ｔTMが長いときは、乾燥負荷が大であると考えられ、短いときは乾燥負荷は小であると考えられるので、タイマー時間ｔTMが長いときは（例えば、図４参照）前記後期判別温度ＴKOを高い温度に設定し、タイマー時間ｔTMが短いときは（例えば、図６参照）、前記後期判別温度ＴKOを低い温度に設定するように構成して、タイマー時間の長さに基づいて、後期判別温度を変更設定するようにしてもよい。
【００４１】
又、外気温度を検出する検出手段の検出情報、あるいは、乾燥運転開始直後の前記温度センサの検出情報（外気温度に相当する）に基づいて、外気温度が高いときは高い温度になるように、又、外気温度が低いときは低い温度になるように、前記後期判別温度ＴKOを変更調整するようにしてもよい。
【００４２】
（３）上記実施形態では、サーミスタの検出情報に基づいて、循環ファンの通風量が大の時間を変更させる構成としたが、このような循環ファンの変更調整を実施しない構成としてもよい。
【００４３】
（４）上記実施形態では、加熱手段として温水循環式の熱交換器を利用したが、電気ヒータやガスや石油等の燃料を燃焼させて加熱する燃焼式加熱手段を用いてもよい。
【００４４】
（５）上記実施形態では、温度検出手段としてのサーミスタをケーシングの内部に配設する構成としたが、浴室の内部に配設する構成としてもよい。
【００４５】
（６）上記実施形態では、乾燥運転時間を時間設定スイッチにて変更設定できる構成としたが、乾燥運転時間を一定時間に予め設定する構成であってもよい。
【図面の簡単な説明】
【図１】概略構成図
【図２】リモコン操作部の正面図
【図３】設置状態を示す斜視図
【図４】乾燥運転での制御動作のタイミングチャート
【図５】乾燥運転での制御動作のタイミングチャート
【図６】別実施形態における乾燥運転での制御動作のタイミングチャート
【符号の説明】
５              循環用通風手段
６              加熱手段
７              温度検出手段
１０            排気用通風手段
１９            運転時間設定手段
Ｈ              制御手段
ＴKO            設定温度
ｔTM            設定時間
【図１】
0003734313.tif 000002
【図２】
0003734313.tif 000003
【図３】
0003734313.tif 000004
【図４】
0003734313.tif 000005
【図５】
0003734313.tif 000006
【図６】
0003734313.tif 000007